(57)【要約】【課題】ティース部分やコアの外周側等のコアの端面へのワニスの付着を防止し，製造工程を簡素化できるコア保護部材，回転電機の製造方法及びその回転電機を提供すること。【解決手段】本発明のコア保護部材１０は，コイルへのワニス含浸処理時にコアに取り付けるものであって，コアの外側面を覆う側面保護部１１と，側面保護部１１に内向きに取り付けられ，コアの端面を覆う２枚の端面保護部１２，１３とを有する。さらに，側面保護部１１の内面は，コアの外側面の形状に合わせた形状であり，２枚の端面保護部１２，１３の間隔が調整可能であることが望ましい。そのために，側面保護部１１にコアの厚さ方向の長孔１４が形成されており，端面保護部１２が，側面保護部１１の長孔１４にスライド可能に取りつけられている。【選択図】図１
2007174811.tif 000002
【特許請求の範囲】
【請求項１】
コイルへのワニス含浸処理時にコアに取り付けるコア保護部材において，
コアの外側面を覆う側面保護部と，
前記側面保護部に内向きに取り付けられ，コアの端面を覆う２枚の端面保護部とを有することを特徴とするコア保護部材。
【請求項２】
請求項１に記載のコア保護部材において，
前記側面保護部の内面は，コアの外側面の形状に合わせた形状であり，
前記２枚の端面保護部の間隔が調整可能であることを特徴とするコアの保護部材。
【請求項３】
請求項２に記載のコア保護部材において，
前記側面保護部には，コアの厚さ方向の長孔が形成されており，
前記２枚の端面保護部の少なくとも一方が，前記側面保護部の長孔にスライド可能に取りつけられていることを特徴とするコアの保護部材。
【請求項４】
請求項２に記載のコア保護部材において，
前記側面保護部がコアの厚さ方向に伸縮可能であることを特徴とするコアの保護部材。
【請求項５】
請求項１に記載のコア保護部材において，
前記端面保護部の形状が，コアのティース部の形状に合わせた形状であることを特徴とするコアの保護部材。
【請求項６】
請求項１に記載のコア保護部材において，
コアの周方向に分割されていることを特徴とするコアの保護部材。
【請求項７】
請求項６に記載のコア保護部材において，
分割された分割片の合わせ目が，コアのスロット位置に対応する位置であることを特徴とするコアの保護部材。
【請求項８】
請求項１に記載のコア保護部材において，
表面にワニスに対する離型性のある素材で形成されていることを特徴とするコアの保護部材。
【請求項９】
コイル付きコアを有する回転電機の製造方法において，
コイル挿入済みのコアに外側からコア保護部材を取り付けるステップと，
コア保護部材が取り付けられた状態のコアのコイルにワニスを含浸させるステップと，
ワニス含浸後にコア保護部材を取り除くステップとを有し，
前記コア保護部材として，
コアの外側面を覆う側面保護部と，
前記側面保護部に内向きに取り付けられ，コアの端面を覆う２枚の端面保護部とを有するものを用い，
コア保護部材の取り付けステップでは，２枚の端面保護部の間隔をコアの厚みに合わせて，コアの端面とコイルとの間に端面保護部を差し込むことを特徴とする回転電機の製造方法。
【請求項１０】
コイル付きコアを有する回転電機において，前記コイル付きコアは，
コイル挿入後に外側からコア保護部材を取り付けられ，
コア保護部材が取り付けられた状態でコイルにワニスを含浸させられ，
ワニス含浸後にコア保護部材が取り除かれたものであることを特徴とする回転電機。
【発明の詳細な説明】
【技術分野】
【０００１】
本発明は，モータ，発電機等の回転電機の製造過程において，コア端面を覆うための保護部材及びその保護部材を用いた回転電機の製造方法及びその方法によって製造された回転電機に関する。さらに詳細には，各スロットにコイルが挿入されたコアの軸方向両端面を覆うことによって，コイルへのワニス含浸に際してコアの端面へのワニス付着を防止するコア保護部材，回転電機の製造方法及びその回転電機に関するものである。
【背景技術】
【０００２】
従来より，モータや発電機等の回転電機に用いられるステータの製造工程においては，コアに挿入されたコイルに対してワニスを含浸させる処理を行っている。このとき，コイル間には十分にワニスが浸透されることが望まれる一方，コア端面等にワニスが付着することは好ましくない。このような箇所に付いたワニスは，ケース取付の障害となったり，削られて粉塵の原因となったりするおそれがあるからである。そのため従来より，コア等に付着したワニスを除去するトリミング作業が行われている。しかし，トリミング作業は作業効率が悪く，またトリミングによって発生したワニス粉が周囲に残存するおそれもあった。
【０００３】
これに対し，例えば特許文献１では，コイルの挿入前にコアの軸方向両端面に面板を取り付ける製造方法が開示されている。これにより，コアの端面が面板によって保護され，ワニスが付着することが防止されるとされている。また，特許文献２では，ワニス含浸工程において，ステータの内径側からコアの軸方向両端面に向けてエアーを噴射させている製造方法が開示されている。これにより，コアの端面に付着したワニスは，硬化する前にエアーによって吹き飛ばされるとされている。
【特許文献１】特開平６−１４１５１５号公報
【特許文献２】特開２００４−１９４３９８号公報
【発明の開示】
【発明が解決しようとする課題】
【０００４】
しかしながら，前記した従来の技術では，以下のような問題点があった。特許文献１に記載の技術では，コア端面のうち，面板で覆われるのはコイルより外周側のみであり，コイルスロットとコイルスロットとの間のティース部分の端面は覆われていない。そのため，ティース部分の端面にはワニスが付着するおそれがあった。
【０００５】
また，特許文献２に記載の技術では，コアの内周側から外周側へ向かってエアーブローを行っているので，エアーはティース部分を通ることになる。そのため，コイルによってエアーの通り道が塞がれているため，コア端面のうちコイルよりも外周側の位置にはエアーが当たりにくい。さらには，スロット内にはスロット紙（絶縁紙）が挿入されており，ティース部分にその端部が突出して折り返されている。そのため，エアーの通り道はさらに制限されるおそれがあり，エアーの当たらない部分にはワニスが付着したままとなるおそれがあった。
【０００６】
本発明は，前記した従来の技術が有する問題点を解決するためになされたものである。すなわちその課題とするところは，ティース部分やコアの外周側等のコアの端面へのワニスの付着を防止し，製造工程を簡素化できるコア保護部材，回転電機の製造方法及びその回転電機を提供することにある。
【課題を解決するための手段】
【０００７】
この課題の解決を目的としてなされた本発明のコア保護部材は，コイルへのワニス含浸処理時にコアに取り付けるコア保護部材であって，コアの外側面を覆う側面保護部と，側面保護部に内向きに取り付けられ，コアの端面を覆う２枚の端面保護部とを有するものである。
【０００８】
本発明のコア保護部材をワニス含浸時にコアに取り付ければ，コアの外側面とコアの端面とがともに覆われる。従って，この状態でワニスの含浸処理を行えば，ワニスはコア保護部材に付着するのみであり，コアの外側面やコアの端面には付着しない。これにより，ティース部分やコアの外周側等のコアの端面へのワニスの付着を防止し，製造工程を簡素化できるコア保護部材となっている。
【０００９】
さらに本発明では，側面保護部の内面は，コアの外側面の形状に合わせた形状であり，２枚の端面保護部の間隔が調整可能であることが望ましい。そのために例えば，側面保護部にコアの厚さ方向の長孔が形成されており，２枚の端面保護部の少なくとも一方が，側面保護部の長孔にスライド可能に取りつけられているものであってもよい。またあるいは，側面保護部がコアの厚さ方向に伸縮可能であってもよい。
【００１０】
側面保護部の内面がコアの外側面の形状に合わせたものであれば，側面保護部によって無駄なくコアの外側面が覆われる。また端面保護部の間隔が調整可能であれば，コアの積み厚の変更に容易に対応できる。端面保護部の少なくとも一方が，側面保護部に沿ってスライド可能であれば，端面保護部の間隔を容易に調整できる。また，側面保護部が伸縮可能であっても，端面保護部の間隔を調整するのは容易である。
【００１１】
さらに本発明では，端面保護部の形状が，コアのティース部の形状に合わせた形状であることが望ましい。そして，コアの周方向に分割されているとよい。また，分割された分割片の合わせ目が，コアのスロット位置に対応する位置であることが望ましい。また，表面にワニスに対する離型性のある素材で形成されているとが望ましい。
【００１２】
端面保護部の形状がコアのティース部の形状に合わせた形状であれば，端面保護部によってコアのティース部が無駄なく覆われる。また，コイルに無理な力が加えられることもない。さらに，コアの周方向に分割されていれば，取付は容易である。コアのスロット位置では，コア端面の幅が小さくなっているので，この部分で分割することは合理的である。さらに，コア保護部材にはワニスが付着するので，ワニスに対する離型性のある素材で形成されていれば容易にワニスを剥がすことができ，再利用可能である。
【００１３】
さらに本発明は，コイル付きコアを有する回転電機の製造方法であって，コイル挿入済みのコアに外側からコア保護部材を取り付けるステップと，コア保護部材が取り付けられた状態のコアのコイルにワニスを含浸させるステップと，ワニス含浸後にコア保護部材を取り除くステップとを有し，コア保護部材として，コアの外側面を覆う側面保護部と，側面保護部に内向きに取り付けられ，コアの端面を覆う２枚の端面保護部とを有するものを用い，コア保護部材の取り付けステップでは，２枚の端面保護部の間隔をコアの厚みに合わせて，コアの端面とコイルとの間に端面保護部を差し込む回転電機の製造方法にも及ぶ。
【００１４】
さらに本発明は，コイル付きコアを有する回転電機であって，コイル付きコアは，コイル挿入後に外側からコア保護部材を取り付けられ，コア保護部材が取り付けられた状態でコイルにワニスを含浸させられ，ワニス含浸後にコア保護部材が取り除かれた回転電機にも及ぶ。
【発明の効果】
【００１５】
本発明のコア保護部材，回転電機の製造方法及びその回転電機によれば，ティース部分やコアの外周側等のコアの端面へのワニスの付着を防止し，製造工程を簡素化できる。
【発明を実施するための最良の形態】
【００１６】
以下，本発明を具体化した最良の形態について，添付図面を参照しつつ詳細に説明する。本形態は，ステータコアを保護するコア保護部材と，それを利用したワニス処理方法を含むステータの製造方法に本発明を適用したものである。
【００１７】
本形態のコア保護部材は，図１に示す第１コア保護部材１０と図２に示す第２コア保護部材２０との２種類がある。ワニス処理時には，１つの保護対象（ここでは，ステータコア）につき，これらをそれぞれ複数個用いる。まず，この２種類のコア保護部材１０，２０について説明する。
【００１８】
本形態の第１コア保護部材１０は，図１にその外観を示すように，側面保護部１１とティース保護部１２，１３とを有している。側面保護部１１は略部分円筒面形状をなし，その内周面は保護対象であるステータコアの外側面と同じ曲率を有する曲面となっている。また，側面保護部１１にはその長手方向（図中縦方向）に延びる長孔１４が形成されている。
【００１９】
ティース保護部１２，１３はいずれも同形であり，側面保護部１１に内向きに取り付けられている。その平面形状がステータコアのティース部分及びその外周部と同じ形状の平板部材である。図中上方のティース保護部１２は，側面保護部１１とは固定されておらず，その厚み内にネジ孔１５が形成されている。そして，側面保護部１１の外側から，長孔１４を介してネジ１６によってネジ止めされている。従って，ティース保護部１２の固定位置は，長孔１４の範囲内で自由に変更できる。一方，ティース保護部１３は側面保護部１１の内面に固定されている。
【００２０】
また，本形態の第２コア保護部材２０は，図２にその外観を示すように，側面保護部２１とティース保護部２２，２３とを有している。第１コア保護部材１０との違いは，図中右端部の形状のみであり，全体的な構造は同様である。すなわち，側面保護部２１は，第１コア保護部材１０の側面保護部１１よりも外向きにふくらんだ形状である。ティース保護部２２，２３のうち，側面保護部２１の内面に接する部分も，それに合わせた形状となっている。側面保護部２１は，側面保護部１１と同様に長孔２４を有している。図中上部のティース保護部２２は，ティース保護部１２と同様にネジ孔２５が設けられ，長孔２４を介してネジ２６によって側面保護部２１に固定されている。図中下部のティース保護部２３は，側面保護部２１の内面に固定されている。
【００２１】
これにより，ネジ１６のネジ止め位置に応じて，ティース保護部１２とティース保護部１３との間の距離は長孔１４の範囲内で変更可能である。同様に，ネジ２６のネジ止め位置に応じて，ティース保護部２２とティース保護部２３との間の距離は長孔２４の範囲内で変更可能である。これらのコア保護部材１０，２０は，離型性が高く，ワニス硬化時の炉の雰囲気温度の上限である１８０℃レベルの耐熱性を有することが要求される。例えば，ＭＣナイロン系の材料で形成されることが好ましく，フッ素樹脂系のコーティングがなされていればさらによい。
【００２２】
次に，本形態のコア保護部材１０，２０による保護対象であるステータコア３０について説明する。ステータコア３０は，図３に示すように，略円環状で内周に多数のスロット３１が設けられたものである。実際には，その形状の多数の電磁鋼板が積み重ねられた積層鋼板タイプのものである。スロット３１とスロット３１との間にはティース部分３２が形成されている。また，外周の３箇所には，固定孔３３が形成されている。３箇所の固定孔３３はいずれも，直近のティース部分３２に対して，周方向の中央に位置している。
【００２３】
このステータコア３０に本形態のコア保護部材１０，２０を取り付けると，図４に示すようになる。各固定孔３３の部分には第２コア保護部材２０が取り付けられる。つまり，第２コア保護部材２０のふくれ形状は，固定孔３３がある箇所におけるステータコア３０の外側面形状に合わせたものなのである。そしてそれ以外の部分には，各ティース部分３２ごとに１つの第１コア保護部材１０が取り付けられる。この図では，２１個の第１コア保護部材１０と３個の第２コア保護部材２０とが使用されている。また，この図ではスロット紙３４およびコイル３５は省略している。
【００２４】
このとき，ティース保護部１２とティース保護部１３との間隔，および，ティース保護部２２とティース保護部２３との間隔は，ステータコア３０の積み厚に合わせて，ネジ１６，２６のネジ止め位置によって調整される。これにより，ステータコア３０の両端面は，各ティース部分３２および各スロット３１の外周部のすべてが，ティース保護部１２，１３，２２，２３によって覆われる。また，ステータコア３０の外側面は，側面保護部１１，２１によって覆われる。ここで，コア保護部材１０，２０の合わせ目は，スロット３１の周方向中央である。各ティース部分３２は，それぞれ１つのティース保護部（１２，１３，２２，２３のいずれか）のみによって保護されており，複数のコア保護部材１０，２０で分担して保護されるということはない。
【００２５】
なお，本形態のコア保護部材１０，２０は，ワニス含浸処理工程でこのステータコア３０の表面にワニスが付着することを防止するためのものである。そのため，実際にこのコア保護部材１０，２０が使用されるときには，ステータコア３０の各スロット３１には，スロット紙３４およびコイル３５が挿入された状態となっている（図５，図６参照）。ステータコア３０の各スロット３１に挿入されたコイル３５の一部は，ステータコア３０の軸方向の両端側に突出した状態となっている。また，このコイル３５は，ステータコア３０の両端面に被さるように折り曲げられることも多い。しかし一般に，コイル３５とステータコア３０の両端面とが完全に密着するということはなく，これらの間にはわずかに隙間がある。そのため，その隙間にティース保護部１２，１３，２２，２３を挿入することは容易である。
【００２６】
次に，このコア保護部材１０，２０を用いたワニス処理に用いられるワニス処理装置について説明する。ワニス処理装置のワーク保持部４０は，図５に示すように，回転軸４１を有している。この回転軸４１は，水平に保持され，図中矢印で示す方向へ回転される。回転軸４１には，ワーク支持具４２によってワークが取り付けられる。
【００２７】
さらに，このワニス処理装置は，計６個のワニス滴下ノズル４３，４４，４５，４６，４７，４８を有し，それぞれの先端部から適量のワニスを滴下できるようになっている。また，ワークの軸方向にやや外側に配置されているワニス滴下ノズル４５，４６の近傍には，それぞれエアーノズル４９，５０が配置され，ワークに向かってエアーが吹き付けられる。そして，ワニス滴下ノズル４５，４６から滴下されるワニスをワークの軸方向両端部に向かって吹き付けるようにされている。
【００２８】
次に，このワニス処理装置を利用したワニス処理方法について説明する。本方法では，（１）ステータ製造工程，（２）保護部材取り付け工程，（３）ワニス処理装置への取り付け工程，（４）ワニス含浸工程，（５）加熱乾燥工程，（６）保護部材取り外し工程，（７）保護部材復元工程の各工程を順に行う。
【００２９】
まず，（１）ステータ製造工程では，ワークとなるステータを製造する。本形態の処理対象であるステータは，３相の分布巻きステータである。この工程では，まずステータコア３０を製造する。そして，コイル３５とステータコア３０との絶縁のために，スロット３１にスロット紙３４を挿入する。このスロット紙３４はその端部が折り返され，図５に示すように，ステータコア３０の端面から突出した状態となる。そして，各スロット３１に３相のコイル３５を順に挿入する。
【００３０】
なお，ここでは３相の分布巻きステータを対象としているので，ステータコア３０に挿入されているコイル３５は各相ごとにおよそ，ステータコア３０の内周側，外周側および中間の３層構造となるようにまとめられる。さらに，各相のコイル３５の間には，漏電防止用の絶縁紙が挿入される。コイル３５に滴下されるワニスは，コイル線の間を毛細管現象によって浸透させるものであり，これらの絶縁紙によってワニスの流れも阻害される。そのため，１つのノズルからワニスを供給できるコイル３５の範囲は限られている。
【００３１】
次に，（２）保護部材取り付け工程では，（１）で製造されたステータにコア保護部材１０，２０を全周に取り付ける。これにより，ステータコア３０の外面は，すべてコア保護部材１０，２０によって覆われた状態となる。特に，ステータコア３０の軸方向両端面はスロット３１を除いてティース保護部１２，１３，２２，２３によって覆われる。このとき，ステータコア３０の各ティース部分３２は，それぞれ１つのティース保護部のみによって保護されているので，隙間ができることはなく確実に覆われる。なお，スロット３１はコイル３５が挿入されている部分であり，ワニスがコイル３５を伝って入り込むことが望ましい。
【００３２】
次に，（３）ワニス処理装置への取り付け工程では，（２）においてコア保護部材１０，２０によって覆われたステータを，ワーク支持具４２によってワーク保持部４０の回転軸４１に取り付ける。これにより，図５に示すように回転軸４１を回転させると，同時にワークが回転される。
【００３３】
次に，（４）ワニス含浸工程では，（３）でワークを取り付けた状態で回転軸４１を回転させつつ，各ワニス滴下ノズル４３〜４８からワニスを滴下させる。同時に，エアーノズル４９，５０からワークに向かってエアーを吹き付ける。従って，ワークはその中心軸の周りに回転されつつ，各相のコイル３５にワニスが含浸される。すなわち，ワークに挿入されているコイル３５のうち外周側に配置されている相には，ワニス滴下ノズル４３，４４によってワニスが滴下される。また，内周側のものには，ワニス滴下ノズル４７，４８によってワニスが滴下される。中間のものにはワニス滴下ノズル４５，４６から滴下されたワニスが，エアーノズル４９，５０から吹き出されるエアーによって吹き付けられる。さらに，いずれの層でもワークの回転によって，ワニスがワークの全周に行き渡る。
【００３４】
ここで本形態では，ステータコア３０にコア保護部材１０，２０を取り付けたものをワークとしているので，ステータコア３０の外側面やティース部分３２等は露出していない。従って，ワニス処理工程中にワニスが多少飛び散ったとしても，ステータコア３０に付着することはない。代わりに，コア保護部材１０，２０にはワニスが付着する。一方，ステータコア３０の側面（図３中外周面）は，コア保護部材１０，２０の側面保護部１１，２１によって覆われている。これらには，長孔１４，２４が形成されているが，図５から判るように，この部分にワニスが付着するおそれは元々ほとんどない。従って，ワークのステータコア３０の外面にワニスが付着するおそれはないといえる。
【００３５】
そして，所定量のワニスの滴下が終了したらワニスの供給が停止され，ワークは（５）加熱乾燥工程において，所定温度まで加熱される。これにより，液状であったワニスがゲル化・乾燥されて硬化される。次に，（６）保護部材取り外し工程において，ワークからコア保護部材１０，２０が取り外される。このとき，コア保護部材１０，２０に付着したワニスは，すでに硬化しているので，ステータコア３０を汚染することはない。
【００３６】
さらに，（７）保護部材復元工程において，取り外されたコア保護部材１０，２０からワニスが剥がされる。コア保護部材１０，２０は離型性の高い材料で形成されているので，これらに付着したワニスは容易に剥がすことができる。よって，コア保護部材１０，２０は，ワークから外した後にワニスを剥がせば何度でも再使用可能である。
【００３７】
さらに，ステータコア３０の内径側へのワニス付着を防止するために，内径側にも保護部材を設けても良い。例えば，図６に示すように，内径側先端部保護部材５１，内径側基端部保護部材５２を設けても良い。内径側先端部保護部材５１は，図７に示すように，ステータコア３０の内径側と回転軸４１の先端部とをともに覆う帽子形状の部材である。ステータコア３０が取り付けられた回転軸４１の先端側からはめ込まれる。
【００３８】
また，内径側基端部保護部材５２は，図８に示すように，２分割された略リング状の部材である。ステータコア３０の基端側において，回転軸４１の両側からそれぞれ内径側基端部保護部材５２を取り付けることにより，回転軸４１を挟み込んでステータコア３０の内径側と回転軸４１との間を覆う。これらの内径側の保護部材５１，５２を（３）ワニス処理装置への取り付け工程の後，（４）ワニス含浸工程より前に，ワークに取り付ければ，ステータコア３０の内径側も露出されている部分は無いものとなる。従って，ワークの内径側へのワニスの付着を防止できる。
【００３９】
次に，コア保護部材の別の例を図９に示す。このコア保護部材６０は，長孔１４を設けた側面保護部１１に代えて蛇腹式の側面保護部６１を有している。この側面保護部６１を伸縮させて，ステータコア３０の積み厚に合わせて調整することが出来る。この場合には，２枚のティース保護部はともに側面保護部６１に固定されている。この例においても，コアの外形形状に合わせた２種類のコア保護部材を用意し，コアの全周に取り付けて使用する。
【００４０】
このコア保護部材６０によれば，ステータコア３０の側面にも孔がないので，ワークへのワニスの付着をさらに確実に防止できる。また，積み厚の薄いワークに取り付ける場合でも，側面保護部６１が両端部に突出することがないので，ワニス滴下ノズルのじゃまになることがない。
【００４１】
以上詳細に説明したように，本形態のコア保護部材１０，２０およびそれを用いたワニス処理方法によれば，あらかじめステータコア３０の端面や側面がコア保護部材１０，２０によって覆われた状態でワニス処理が行われるので，ワニス処理時にステータコア３０にワニスが付着することが防止されている。従って，ワニス処理後にステータコア３０からワニスを剥がす工程が不要であり，ステータの製造工程が簡素化される。
【００４２】
なお，本形態は単なる例示にすぎず，本発明を何ら限定するものではない。したがって本発明は当然に，その要旨を逸脱しない範囲内で種々の改良，変形が可能である。
例えば，ステータコア３０は，図３では２４個のスロット３１が設けられたものとして図示しているが，スロット数やその形状，大きさ等はこれに限るものではない。ステータコア３０の形状に合わせて，各コア保護部材を形成すればよい。ステータコアの固定孔の位置や形状によっては，３種類以上のコア保護部材が必要となる場合もある。また，ステータコアのティース部分とコア保護部材のティース保護部との関係も１対１に限らない。１つのコア保護部材で複数のティース部分をカバーするように形成しても良い。また，ステータコア３０の積み厚に対応させる必要がない場合は，各コア保護部材を一体に形成しても良い。また，内径側保護部材５１，５２はやや弾力性のある材質によって形成し，押し込むようにして取り付けても良い。
【図面の簡単な説明】
【００４３】
【図１】本形態に係る第１コア保護部材を示す外観図である。
【図２】本形態に係る第２コア保護部材を示す外観図である。
【図３】第１，第２コア保護部材を取り付ける対象となるステータコアを示す平面図である。
【図４】ステータコアに第１，第２コア保護部材を取り付けた状態を示す平面図である。
【図５】ワニス処理装置にワークが取り付けられた状態を示す断面図である。
【図６】ワニス処理装置にワークが取り付けられた状態を示す断面図である。
【図７】内径側先端部保護部材を示す外観図である。
【図８】内径側基端部保護部材を示す外観図である。
【図９】第１コア保護部材の他の例を示す外観図である。
【符号の説明】
【００４４】
１０  第１コア保護部材
１１，２１  側面保護部
１２，１３，２２，２３  ティース保護部
１４，２４  長孔
２０  第２コア保護部材
６０  コア保護部材
【図１】
2007174811.tif 000003
【図２】
2007174811.tif 000004
【図３】
2007174811.tif 000005
【図４】
2007174811.tif 000006
【図５】
2007174811.tif 000007
【図６】
2007174811.tif 000008
【図７】
2007174811.tif 000009
【図８】
2007174811.tif 000010
【図９】
2007174811.tif 000011